(57)【要約】【課題】作業者が明快な指示内容に従って出荷処理を行うことができるようにする。【解決手段】本実施形態では、制御部が、長さと本数を含む、切売商品の受注情報を基に、母材の在庫情報を一本単位に記憶する記憶部を参照して、在庫引当の対象とする在庫情報を選出する選出手段と、選出手段で選出した在庫情報に含まれる引当長さを、受注情報を基に更新する更新手段と、更新手段による更新後の在庫情報および受注情報を基に、切売商品を用意するための切断指示書を、出力部を介して出力する出力実行手段と、を備え、在庫情報は、切断加工の経験の有無を識別するための識別情報を含み、出力実行手段は、端材発生なし、切断加工の経験の無い母材に対する端材発生ありの切断および切断加工の経験の有る母材に対する端材発生ありの切断のうちのいずれか一つであることが識別可能な態様で切断指示書を出力する。【選択図】図１
2020001910.tif 000002
【特許請求の範囲】
【請求項１】
制御部を備える在庫引当処理装置であって、
前記制御部は、
長さと本数を含む、切売商品の受注情報を基に、母材の在庫情報を一本単位に記憶する記憶部を参照して、在庫引当の対象とする在庫情報を選出する選出手段と、
前記選出手段で選出した前記在庫情報に含まれる引当長さを、前記受注情報を基に更新する更新手段と、
前記更新手段による更新後の前記在庫情報および前記受注情報を基に、前記切売商品を用意するための切断指示書を、出力部を介して出力する出力実行手段と、
を備え、
前記在庫情報は、切断加工の経験の有無を識別するための識別情報を含み、
前記出力実行手段は、端材発生なし、切断加工の経験の無い母材に対する端材発生ありの切断および切断加工の経験の有る母材に対する端材発生ありの切断のうちのいずれか一つであることが識別可能な態様で切断指示書を出力する、
ことを特徴とする在庫引当処理装置。
【請求項２】
前記選出手段は、
端材の発生が最小となるよう在庫情報を選出する、
ことを特徴とする請求項１に記載の在庫引当処理装置。
【請求項３】
前記選出手段は、
端材の発生なし、切断加工の経験の有る母材に対する端材発生ありの切断、切断加工の経験の無い母材に対する端材発生ありの切断の優先順にしたがい在庫情報を選出する、
ことを特徴とする請求項１または請求項２に記載の在庫引当処理装置。
【請求項４】
制御部を備える在庫引当処理装置で実行される在庫引当処理方法であって、
前記制御部で実行される、
長さと本数を含む、切売商品の受注情報を基に、母材の在庫情報を一本単位に記憶する記憶部を参照して、在庫引当の対象とする在庫情報を選出するステップと、
前記選出した前記在庫情報に含まれる引当長さを、前記受注情報を基に更新するステップと、
前記更新後の前記在庫情報および前記受注情報を基に、前記切売商品を用意するための切断指示書を、出力部を介して出力するステップと、
を含み、
前記在庫情報は、切断加工の経験の有無を識別するための識別情報を含み、
前記切断指示書を出力するステップでは、
端材発生なし、切断加工の経験の無い母材に対する端材発生ありの切断および切断加工の経験の有る母材に対する端材発生ありの切断のうちのいずれか一つであることが識別可能な態様で切断指示書を出力する、
ことを特徴とする在庫引当処理方法。
【請求項５】
制御部を備える在庫引当処理装置で実行される在庫引当処理プログラムであって、
前記制御部において、
長さと本数を含む、切売商品の受注情報を基に、母材の在庫情報を一本単位に記憶する記憶部を参照して、在庫引当の対象とする在庫情報を選出するステップと、
前記選出した前記在庫情報に含まれる引当長さを、前記受注情報を基に更新するステップと、
前記更新後の前記在庫情報および前記受注情報を基に、前記切売商品を用意するための切断指示書を、出力部を介して出力するステップと、
を実行させ、
前記在庫情報は、切断加工の経験の有無を識別するための識別情報を含み、
前記切断指示書を出力するステップでは、
端材発生なし、切断加工の経験の無い母材に対する端材発生ありの切断および切断加工の経験の有る母材に対する端材発生ありの切断のうちのいずれか一つであることが識別可能な態様で切断指示書を出力させる、
在庫引当処理プログラム。
【発明の詳細な説明】
【技術分野】
【０００１】
本発明は、在庫引当処理装置、在庫引当処理方法、および在庫引当処理プログラムに関する。
【背景技術】
【０００２】
特許文献１には、優先順を考慮した引当処理を行う電線の物流システムが開示されている。作業者は、引当処理に基づく作業内容指示表を印刷し、この作業内容指示表を見て指示された作業を行う。
【先行技術文献】
【特許文献】
【０００３】
【特許文献１】特開２００３−３２１１２２号公報
【発明の概要】
【発明が解決しようとする課題】
【０００４】
しかしながら、特許文献１には作業内容指示表の詳細については記載がなく、作業者が作業内容指示表のどのような情報に基づきどのような作業を行っているかが明確ではない。
【０００５】
本発明は、上記に鑑みてなされたものであって、作業者が明快な指示内容に従って出荷処理を行うことができる在庫引当処理装置、在庫引当処理方法、および在庫引当処理プログラムを提供することを目的とする。
【課題を解決するための手段】
【０００６】
上述した課題を解決し、目的を達成するために、本発明にかかる在庫引当処理装置は、制御部を備える在庫引当処理装置であって、前記制御部は、長さと本数を含む、切売商品の受注情報を基に、母材の在庫情報を一本単位に記憶する記憶部を参照して、在庫引当の対象とする在庫情報を選出する選出手段と、前記選出手段で選出した前記在庫情報に含まれる引当長さを、前記受注情報を基に更新する更新手段と、前記更新手段による更新後の前記在庫情報および前記受注情報を基に、前記切売商品を用意するための切断指示書を、出力部を介して出力する出力実行手段と、を備え、前記在庫情報は、切断加工の経験の有無を識別するための識別情報を含み、前記出力実行手段は、端材発生なし、切断加工の経験の無い母材に対する端材発生ありの切断および切断加工の経験の有る母材に対する端材発生ありの切断のうちのいずれか一つであることが識別可能な態様で切断指示書を出力する。
【０００７】
また、本発明にかかる在庫引当処理装置は、前記選出手段は、端材の発生が最小となるよう在庫情報を選出する。
【０００８】
また、本発明にかかる在庫引当処理装置は、前記選出手段は、端材の発生なし、切断加工の経験の有る母材に対する端材発生ありの切断、切断加工の経験の無い母材に対する端材発生ありの切断の優先順にしたがい在庫情報を選出する。
【０００９】
また、本発明にかかる在庫引当処理方法は、制御部を備える在庫引当処理装置で実行される在庫引当処理方法であって、前記制御部で実行される、長さと本数を含む、切売商品の受注情報を基に、母材の在庫情報を一本単位に記憶する記憶部を参照して、在庫引当の対象とする在庫情報を選出するステップと、前記選出した前記在庫情報に含まれる引当長さを、前記受注情報を基に更新するステップと、前記更新後の前記在庫情報および前記受注情報を基に、前記切売商品を用意するための切断指示書を、出力部を介して出力するステップと、を含み、前記在庫情報は、切断加工の経験の有無を識別するための識別情報を含み、前記切断指示書を出力するステップでは、端材発生なし、切断加工の経験の無い母材に対する端材発生ありの切断および切断加工の経験の有る母材に対する端材発生ありの切断のうちのいずれか一つであることが識別可能な態様で切断指示書を出力する。
【００１０】
また、本発明にかかる在庫引当処理プログラムは、制御部を備える在庫引当処理装置で実行される在庫引当処理プログラムであって、前記制御部において、長さと本数を含む、切売商品の受注情報を基に、母材の在庫情報を一本単位に記憶する記憶部を参照して、在庫引当の対象とする在庫情報を選出するステップと、前記選出した前記在庫情報に含まれる引当長さを、前記受注情報を基に更新するステップと、前記更新後の前記在庫情報および前記受注情報を基に、前記切売商品を用意するための切断指示書を、出力部を介して出力するステップと、を実行させ、前記在庫情報は、切断加工の経験の有無を識別するための識別情報を含み、前記切断指示書を出力するステップでは、端材発生なし、切断加工の経験の無い母材に対する端材発生ありの切断および切断加工の経験の有る母材に対する端材発生ありの切断のうちのいずれか一つであることが識別可能な態様で切断指示書を出力させる。
【発明の効果】
【００１１】
本発明によれば、作業者が明快な指示内容に従って出荷処理を行うことができるという効果を奏する。
【図面の簡単な説明】
【００１２】
【図１】図１は、実施形態にかかる在庫引当処理装置の構成の一例を示すブロック図である。
【図２】図２は、実施形態にかかる在庫引当処理装置の記憶部が記憶する各種マスタ及びファイルが保有する情報の一例を示す図である。
【図３】図３は、実施形態にかかる在庫引当処理装置が表示する入荷入力画面の一例を示す図である。
【図４】図４は、実施形態にかかる在庫引当処理装置の記憶部が記憶する入荷ファイルの一例を示す図である。
【図５】図５は、実施形態にかかる在庫引当処理装置の記憶部が記憶する在庫マスタの一例を示す図である。
【図６】図６は、実施形態にかかる在庫引当処理装置の記憶部が記憶する在庫明細ファイルの一例を示す図である。
【図７】図７は、実施形態にかかる在庫引当処理装置の記憶部が記憶する各種ファイルが保有する情報の一例を示す図である。
【図８】図８は、実施形態にかかる在庫引当処理装置が表示する受注入力画面の一例を示す図である。
【図９】図９は、実施形態にかかる在庫引当処理装置の記憶部が記憶する受注ファイルの一例を示す図である。
【図１０】図１０は、実施形態にかかる在庫引当処理装置の記憶部が記憶する在庫マスタの一例を示す図である。
【図１１】図１１は、実施形態にかかる在庫引当処理装置の記憶部が記憶する在庫明細ファイルの一例を示す図である。
【図１２】図１２は、実施形態にかかる在庫引当処理装置の記憶部が記憶する在庫引当ファイルの一例を示す図である。
【図１３】図１３は、実施形態にかかる在庫引当処理装置の出力実行部が出力させた切断指示書の一例を示す図である。
【図１４】図１４は、実施形態にかかる在庫引当処理装置が表示する出荷入力画面の一例を示す図である。
【図１５】図１５は、実施形態にかかる在庫引当処理装置の記憶部が記憶する出荷ファイルの一例を示す図である。
【図１６】図１６は、実施形態にかかる在庫引当処理装置の記憶部が記憶する在庫マスタの一例を示す図である。
【図１７】図１７は、実施形態にかかる在庫引当処理装置の記憶部が記憶する在庫明細ファイルの一例を示す図である。
【図１８】図１８は、実施形態にかかる在庫引当処理装置の記憶部が記憶する在庫引当ファイルの一例を示す図である。
【図１９】図１９は、実施形態にかかる在庫引当処理装置が表示する受注入力画面の一例を示す図である。
【図２０】図２０は、実施形態にかかる在庫引当処理装置の記憶部が記憶する受注ファイルの一例を示す図である。
【図２１】図２１は、実施形態にかかる在庫引当処理装置の記憶部が記憶する管理マスタの一例を示す図である。
【図２２】図２２は、実施形態にかかる在庫引当処理装置の記憶部が記憶する在庫マスタの一例を示す図である。
【図２３】図２３は、実施形態にかかる在庫引当処理装置の記憶部が記憶する在庫明細ファイルの一例を示す図である。
【図２４】図２４は、実施形態にかかる在庫引当処理装置の記憶部が記憶する在庫引当ファイルの一例を示す図である。
【図２５】図２５は、実施形態にかかる在庫引当処理装置の出力実行部が出力させた切断指示書の一例を示す図である。
【図２６】図２６は、実施形態にかかる在庫引当処理装置の記憶部が記憶する在庫明細ファイルの一例を示す図である。
【図２７】図２７は、実施形態にかかる在庫引当処理装置が表示する受注入力画面の一例を示す図である。
【図２８】図２８は、実施形態にかかる在庫引当処理装置の記憶部が記憶する受注ファイルの一例を示す図である。
【図２９】図２９は、実施形態にかかる在庫引当処理装置の記憶部が記憶する在庫マスタの一例を示す図である。
【図３０】図３０は、実施形態にかかる在庫引当処理装置の記憶部が記憶する在庫明細ファイルの一例を示す図である。
【図３１】図３１は、実施形態にかかる在庫引当処理装置の記憶部が記憶する在庫引当ファイルの一例を示す図である。
【図３２】図３２は、実施形態にかかる在庫引当処理装置の出力実行部が出力させた切断指示書の一例を示す図である。
【図３３】図３３は、実施形態にかかる在庫引当処理装置の記憶部が記憶する在庫明細ファイルの一例を示す図である。
【図３４】図３４は、実施形態にかかる在庫引当処理装置で実行される在庫引当処理の手順の一例を示すフロー図である。
【発明を実施するための形態】
【００１３】
本発明にかかる在庫引当処理装置、在庫引当処理方法、および在庫引当処理プログラムの実施形態を、図面に基づいて詳細に説明する。なお、本発明は、この実施形態により限定されるものではない。
【００１４】
［１．構成］
本実施形態にかかる在庫引当処理装置１００の構成の一例について、図１を参照して説明する。図１は、実施形態にかかる在庫引当処理装置１００の構成の一例を示すブロック図である。
【００１５】
在庫引当処理装置１００は、例えば、市販のデスクトップ型パーソナルコンピュータである。ただし、在庫引当処理装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００１６】
在庫引当処理装置１００は、電線や、ケーブルや、鉄鋼の線材等の切売商品の在庫を管理し、また、商品受注に応じて在庫の引当を行う。かかる機能を実現するため、在庫引当処理装置１００は、制御部１０２と通信インターフェース部１０４と記憶部１０６と入出力インターフェース部１０８と、を備えている。在庫引当処理装置１００が備える各部は、任意の通信路を介して通信可能に接続されている。
【００１７】
通信インターフェース部１０４は、ルータ等の通信装置および専用線等の有線又は無線の通信回線を介して、在庫引当処理装置１００をネットワーク３００に通信可能に接続する。通信インターフェース部１０４は、他の装置と通信回線を介してデータを通信する機能を有する。ここで、ネットワーク３００は、在庫引当処理装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。
【００１８】
入出力インターフェース部１０８には、入力装置１１２および出力装置１１４が接続されている。出力装置１１４には、家庭用テレビを含むモニタの他、スピーカやプリンタを用いることができる。入力装置１１２には、キーボード、マウス、およびマイクの他、マウスと協働してポインティングデバイス機能を実現するモニタを用いることができる。
【００１９】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。ここで、記憶部１０６は、ファイル情報１０６ａ、マスタ情報１０６ｂ、及び画面データ１０６ｃを備えている。
【００２０】
ファイル情報１０６ａは、取扱商品に関する各種ファイルを記憶している。各種ファイルとしては、在庫明細ファイル、入荷ファイル、受注ファイル、在庫引当ファイル、および出荷ファイル等がある。在庫明細ファイルは取扱商品についての在庫情報を記憶している。入荷ファイルは新たに入荷した商品の情報を記憶している。受注ファイルは新たに受注があった商品の情報を記憶している。在庫引当ファイルは新たに受注があった商品の引当についての情報を記憶している。出荷ファイルは新たに受注があった商品の出荷についての情報を記憶している。
【００２１】
マスタ情報１０６ｂは、各種のマスタを記憶する。各種マスタとしては、商品コードに紐づけられた商品情報を有する商品マスタ、商品の保管倉庫を示す倉庫コードおよび商品コードに紐づけられた在庫数等の情報を有する在庫マスタ等がある。
【００２２】
画面データ１０６ｃは、各種画面を出力装置１１４等に表示する場合の画面データを記憶する。各種画面としては、入荷入力画面や受注入力画面等の入力画面、および商品の切断指示書を表示する表示画面等がある。
【００２３】
制御部１０２は、在庫引当処理装置１００を統括的に制御するＣＰＵ等である。制御部１０２は、ＯＳ等の制御プログラムや各種の処理手順等を規定したプログラム、所要データなどを格納するための内部メモリを有し、格納されているこれらのプログラムに基づいて種々の情報処理を実行する。ここで、制御部１０２は、機能概念的に、在庫情報選出部１０２ａ、ファイル更新部１０２ｂ、及び出力実行部１０２ｃを備えている。
【００２４】
在庫情報選出部１０２ａは、新たに商品の受注があると、受注ファイルの情報に基づき、在庫明細ファイルを参照して引当の対象とする在庫情報を選出する。
【００２５】
ファイル更新部１０２ｂは、各種ファイルへの情報の追加、および各種ファイルの情報の更新を行う。例えば、ファイル更新部１０２ｂは、新たに商品の受注があると、その受注情報を受注ファイルに追加する。また、ファイル更新部１０２ｂは、受注ファイルの追加された情報に基づき在庫明細ファイルを更新する。
【００２６】
出力実行部１０２ｃは、新たに商品の受注があると、受注ファイルの情報、及び受注ファイルの情報に応じて更新された在庫明細ファイルの情報に基づき、切断指示書を出力装置１１４等に出力させる。また、出力実行部１０２ｃは、画面データ１０６ｃを用いて各種入力画面を出力装置１１４等に出力させる。
【００２７】
［２．機能概要］
図２〜図１８を参照して、本実施形態にかかる在庫引当処理装置１００の機能の一例について概要を説明する。
【００２８】
図２は、実施形態にかかる在庫引当処理装置１００の記憶部１０６が記憶する各種マスタ及びファイルの一例を示す図である。
【００２９】
図２（ａ）は、記憶部１０６が記憶する商品マスタが保有する情報の一例を示す図である。図２（ａ）に示すように、商品マスタは、商品コードに紐づけられた、商品の品番、メーカーコード、仕入先コード、品名等の情報を記憶する。種々の商品は、この商品マスタの情報に基づき、商品コード別に管理される。
【００３０】
図２（ｂ）は、記憶部１０６が記憶する在庫マスタが保有する情報の一例を示す図である。図２（ｂ）に示すように、在庫マスタは、倉庫コード及び商品コードに紐づけられた在庫数および引当数等の情報を記憶する。種々の商品の在庫は、この在庫マスタの情報に基づき、倉庫コード別及び商品コード別に管理される。
【００３１】
図２（ｃ）は、記憶部１０６が記憶する在庫明細ファイルが保有する情報の一例を示す図である。図２（ｃ）に示すように、在庫明細ファイルは、倉庫コード、商品コード、入荷の年月日、入荷数に応じて付与される連番、入荷数、出荷数、在庫数、引当数、ドラム番号、出荷完了フラグ等の情報を記憶する。入荷数、出荷数、在庫数、および引当数は、それぞれ商品の長さで示される数値である。ドラム番号および出荷完了フラグについては後述する。在庫明細ファイルは、入荷ロット単位で商品在庫を管理する。
【００３２】
図３は、実施形態にかかる在庫引当処理装置１００が表示する入荷入力画面の一例を示す図である。図３に示すように、入荷入力画面は、仕入日、仕入先、倉庫、商品コード、品番、長さ、本数、受注数の情報を有する。ユーザは、新たに商品の入荷があったら、入荷内容を入荷入力画面から入力する。
【００３３】
図３（ａ）に示す例では、商品コード１、品番ＡＢＣ００１、２００ｍの長さを有する商品が２本入荷されている。入荷数は、入荷した商品の合計長さであり、この場合、４００ｍである。図３（ｂ）に示す例では、商品コード１、品番ＡＢＣ００１、２００ｍの長さを有する商品が１本入荷されている。入荷した商品の合計長さを示す入荷数は２００ｍである。ユーザにより、以上の入力がなされると、ファイル更新部１０２ｂは、それらの情報を入荷ファイルに追加する。
【００３４】
図４は、実施形態にかかる在庫引当処理装置１００の記憶部１０６が記憶する入荷ファイルの一例を示す図である。図４に示すように、入荷ファイルには、入荷入力画面での入力内容が帳票形式で纏められている。ファイル更新部１０２ｂは、入荷ファイルに新たな情報が追加されると、これに基づき在庫マスタを更新し、さらに、在庫明細ファイルを更新する。
【００３５】
図５は、実施形態にかかる在庫引当処理装置１００の記憶部１０６が記憶する在庫マスタの一例を示す図である。図５の例によれば、図３（ａ），（ｂ）の入荷を受けて、商品コード１の商品については、合計で６００ｍの長さの在庫が存在することとなっている。
【００３６】
図６は、実施形態にかかる在庫引当処理装置１００の記憶部１０６が記憶する在庫明細ファイルの一例を示す図である。図６の例によれば、図３（ａ），（ｂ）の入荷を受けて、商品コード１の商品については、２００ｍの長さの在庫が３本存在することとなっている。このように、在庫明細ファイルにおいては、入荷した商品は、１本ずつロットで管理される。すなわち、在庫明細は、入荷した商品１本ごとに作成される。
【００３７】
また、入荷した商品は、当初、ドラム番号として最大桁数を有する。これは、その商品が出荷による切断を受けたことのない商品であること、つまり、新品であることを示す。商品の一部が切断され出荷されると、その商品には所定のドラム番号が付与され、以降、一部が消費された商品として優先的に出荷対象となる。
【００３８】
次に、受注があった場合について説明する。
【００３９】
図７は、実施形態にかかる在庫引当処理装置１００の記憶部１０６が記憶する各種ファイルが保有する情報の一例を示す図である。
【００４０】
図７（ａ）は、記憶部１０６が記憶する受注ファイルが保有する情報の一例を示す図である。図７（ａ）に示すように、受注ファイルは、受注番号、明細行、受注のあった年月日、得意先コード、得意先名、倉庫コード、商品コード、品番、長さ、本数、および受注の合計長さである受注数等の情報を記憶する。
【００４１】
図７（ｂ）は、記憶部１０６が記憶する在庫引当ファイルが保有する情報の一例を示す図である。図７（ｂ）に示すように、在庫引当ファイルは、受注に関する情報と引当商品の在庫情報とを有する。図７（ｂ）の各項目のうち、受注番号、明細行、および受注順に付与される連番等が受注に関する情報である。倉庫コード、商品コード、年月日、在庫が有する連番、引当数、および出荷数等が在庫情報である。このように、受注情報と在庫情報とを有することで、在庫引当ファイルは、図７（ａ）の受注ファイルの所定の受注情報と図７（ｃ）の在庫明細ファイルの所定の在庫情報とを紐づける。
【００４２】
図８は、実施形態にかかる在庫引当処理装置１００が表示する受注入力画面の一例を示す図である。図８に示すように、受注入力画面は、売上日、得意先、倉庫、商品コード、品番、長さ、本数、受注数等の情報を有する。ユーザは、所定の商品について新たに受注があったら、受注内容を受注入力画面から入力する。
【００４３】
図８に示す例では、商品コード１、品番ＡＢＣ００１、５０ｍの長さを有する商品１本について受注があったこととなっている。ユーザにより、以上の入力がなされると、ファイル更新部１０２ｂは、それらの情報を受注ファイルに追加する。
【００４４】
図９は、実施形態にかかる在庫引当処理装置１００の記憶部１０６が記憶する受注ファイルの一例を示す図である。図９に示すように、受注ファイルには、受注入力画面での入力内容が帳票形式で纏められている。在庫情報選出部１０２ａは、受注ファイルに新たな情報が追加されると、対象商品の在庫の中から適正なものを引き当てる。
【００４５】
適正な商品の引当を行うにあたり、在庫情報選出部１０２ａは、在庫明細ファイルの在庫情報を取得し、それぞれの在庫明細に対して種々の条件を当てはめていく。種々の条件としては、例えば、引当後に引当可能数がより小さくなるものを優先させる、切断回数がより少ないものを優先させる、より古いロットを優先させる等である。ファイル更新部１０２ｂは、在庫情報選出部１０２ａにより引き当て在庫が決定されると、これに基づき在庫マスタを更新し、さらに、在庫明細ファイルを更新する。また、ファイル更新部１０２ｂは、受注ファイルに追加された情報および在庫明細ファイルの更新された情報を在庫引当ファイルに追加する。
【００４６】
図１０は、実施形態にかかる在庫引当処理装置１００の記憶部１０６が記憶する在庫マスタの一例を示す図である。図１０の例によれば、図８の受注に応じ、商品コード１の商品については、合計で６００ｍの長さの在庫のうち、５０ｍが引当品となったことを示している。
【００４７】
図１１は、実施形態にかかる在庫引当処理装置１００の記憶部１０６が記憶する在庫明細ファイルの一例を示す図である。図１１の例によれば、図８の受注に応じ、商品コード１の商品のうち、最も入荷日の古い最上段のロットが引当品となったことを示している。
【００４８】
図１２は、実施形態にかかる在庫引当処理装置１００の記憶部１０６が記憶する在庫引当ファイルの一例を示す図である。図１２に示すように、在庫引当ファイルには、図９の受注ファイルと図１１の在庫明細ファイルとを紐づける情報が追加される。
【００４９】
次に、商品を出荷する場合について説明する。
【００５０】
商品を出荷するにあたって、出力実行部１０２ｃは、受注ファイルの情報と、引当在庫の情報が更新された在庫明細ファイルの情報と、に基づき、切断指示書を作成する。そして、出力実行部１０２ｃは、切断指示書を出力装置１１４等に出力させる。切断指示書の出力には、出力装置１１４が有するモニタ等に切断指示書を表示させること、及び出力装置１１４が有するプリンタ等に切断指示書を印刷させることを含む。
【００５１】
図１３は、実施形態にかかる在庫引当処理装置１００の出力実行部１０２ｃが出力させた切断指示書の一例を示す図である。図１３に示すように、切断指示書には、倉庫、出荷日、商品コード、品番、ドラム番号、切断長さ、切断本数等が記載されている。図１３の例では、図９の受注ファイルの情報と図１１の在庫明細ファイルの情報とに応じ、商品コード１、品番ＡＢＣ００１の商品にドラム番号として、新規切断品であることを示す「新」の文字と共にドラム番号１が付与され、切断前の長さ２００ｍ、切断長さ５０ｍ、及び切断本数が１本であることが記載されている。
【００５２】
なお、既に切断済みの在庫を更に切断して出荷する場合には、最初の切断時に付与されたドラム番号がそのまま踏襲され印字される。また、切断を伴わずに出荷される場合、ドラム番号は印字されない。切断を伴うが端材が残らない場合にも、ドラム番号は印字されない。
【００５３】
作業者は、このような切断指示書に基づき、対象商品の引当ロットについて必要に応じて切断処理を行い出荷する。
【００５４】
図１４は、実施形態にかかる在庫引当処理装置１００が表示する出荷入力画面の一例を示す図である。図１４に示すように、出荷入力画面は、出荷日、倉庫、得意先コード、得意先名、受注番号、行、商品コード、品番、長さ、本数、受注数、および出荷数等の情報を有する。ユーザは、商品の出荷に伴い、出荷内容を出荷入力画面から入力する。
【００５５】
図１４に示す例では、商品コード１、品番ＡＢＣ００１、５０ｍの長さを有する商品１本が出荷されたこととなっている。ユーザにより、以上の入力がなされると、ファイル更新部１０２ｂは、それらの情報を出荷ファイルに追加する。
【００５６】
図１５は、実施形態にかかる在庫引当処理装置１００の記憶部１０６が記憶する出荷ファイルの一例を示す図である。図１５に示すように、出荷ファイルには、出荷入力画面での入力内容が帳票形式で纏められている。ファイル更新部１０２ｂは、出荷ファイルに新たな情報が追加されると、これに基づき在庫マスタを更新し、さらに、在庫明細ファイルを更新する。また、ファイル更新部１０２ｂは、出荷ファイルに追加された情報および在庫明細ファイルの更新された情報に基づき在庫引当ファイルを更新する。
【００５７】
図１６は、実施形態にかかる在庫引当処理装置１００の記憶部１０６が記憶する在庫マスタの一例を示す図である。図１６の例によれば、図１４の出荷に伴い、商品コード１の商品については、合計で６００ｍの長さの在庫のうち、５０ｍが出荷され、合計で５５０ｍの長さとなったことを示している。
【００５８】
図１７は、実施形態にかかる在庫引当処理装置１００の記憶部１０６が記憶する在庫明細ファイルの一例を示す図である。図１７の例によれば、図１４の受注に応じ、商品コード１の商品のうち、最も入荷日の古い最上段のロットから５０ｍが出荷され、１５０ｍの長さとなったことを示している。また、切断を伴う出荷であったため、ドラム番号１が新たに付与されている。
【００５９】
図１８は、実施形態にかかる在庫引当処理装置１００の記憶部１０６が記憶する在庫引当ファイルの一例を示す図である。図１８に示すように、在庫引当ファイルにおいては、図１４の出荷ファイルと図１７の在庫明細ファイルとを紐づける情報が更新される。
【００６０】
［３．具体例１］
図１９〜図２６を参照して、本実施形態にかかる在庫引当処理装置１００の機能の一例について具体的に説明する。
【００６１】
具体例１において、図１７の在庫明細ファイルの在庫を所有している場合に、図１９に示す受注があったとする。在庫情報選出部１０２ａは、図２０の受注ファイルの受注番号１００１の情報に基づき、以下の手順により対象商品の在庫の中から適正なものを引き当てる。
【００６２】
在庫情報選出部１０２ａは、変数「＠引当残数」に受注数（１２０ｍ）を設定する。在庫情報選出部１０２ａは、変数「＠受注長さ」に長さ（１２０ｍ）を設定する。在庫情報選出部１０２ａは、変数「＠引当数累計」にゼロを設定する。在庫情報選出部１０２ａは、変数「＠切断回数」にゼロを設定する。
【００６３】
次に、在庫情報選出部１０２ａは、図１７の在庫明細ファイルの情報を取得する。取得した情報のうち、出荷完了フラグが立っているもの（ゼロのもの）であって、引当可能数が廃棄基準を上回るものを抽出する。ここで、引当可能数は、在庫数から引当数を減じた数である。廃棄基準は、切断後の端材長さがそれ以下となったら廃棄される数値である。
【００６４】
図２１は、実施形態にかかる在庫引当処理装置の記憶部が記憶する管理マスタの一例を示す図である。図２１に示す管理マスタには、各商品についての廃棄基準が定められている。
【００６５】
ここで、条件に当てはまるものが無ければ、在庫引当処理不可としてエラー処理となる。条件に当てはまるものが複数あれば、在庫情報選出部１０２ａは、さらに以下の手順で絞り込みを行う。
【００６６】
このとき、在庫明細ファイルにおいては、各在庫明細の並び順が次のように定められている。在庫明細ファイルにおける並び順では、ドラム番号が若いものが最優先される。次に引当可能数が小さいものが優先され、その次に入荷の年月日が古いものが優先される。最後に、在庫明細の連番が若いものが優先される。
【００６７】
次に、在庫情報選出部１０２ａは、抽出した個々の在庫明細に対し、並び順（優先順位）にしたがって引当可能数と「＠受注長さ」とを照合していき、引当可能数が「＠受注長さ」以上となるものを検索する。つまり、引当可能数が「＠受注長さ」未満であるときは、次の在庫明細へと照合を進める。
【００６８】
ここで、引当可能数が「＠受注長さ」以上となるものが無ければ、在庫引当処理不可としてエラー処理となる。
【００６９】
在庫情報選出部１０２ａは、引当可能数が「＠受注長さ」以上となるもののうち、引当可能数から「＠受注長さ」を減じた数値が最小となるものを引当対象とする。このとき、端材が発生する場合は、「＠切断回数」に１を加算する。また、該当の在庫明細の引当可能数から「＠受注長さ」を減算する。また、引当対象となったものについて、「＠引当数累計」に「＠受注長さ」を加算し、「＠引当残数」から「＠受注長さ」を減算する。在庫情報選出部１０２ａは、「＠引当残数」がゼロになるまで以上の処理を繰り返す。
【００７０】
次に、在庫情報選出部１０２ａは、切断回数が最小となる在庫の再確認を行う。つまり、在庫情報選出部１０２ａは、「＠切断回数」がゼロのとき、引当明細を確定する。「＠切断回数」がゼロでなければ、１本で切断可能な在庫、つまり、引当可能数が「＠受注長さ」以上となるものの再確認を行う。このとき、「＠切断回数」が受注本数以上の場合、１本で切断可能なものを優先させる。
【００７１】
以上のように、引当在庫が確定される。具体例１のケースでは、図１７の在庫明細ファイルにある在庫のうち、最上段の在庫が条件に当てはまる。つまり、最上段の在庫においては、引当可能数が１５０ｍであり、今回の「＠受注長さ」である１２０ｍを上回っている。そして、「＠引当残数」がゼロになるまで繰り返したときの「＠切断回数」は１回である。また、切断後の引当可能数が３０ｍであり最小となる。よって、図１７の在庫明細ファイルにある在庫のうち、最上段の在庫が引当在庫として確定される。
【００７２】
在庫情報選出部１０２ａが引当在庫を確定すると、ファイル更新部１０２ｂは、図２２のように在庫マスタを更新し、図２３のように在庫明細ファイルを更新し、さらに、図２４のように在庫引当ファイルを更新する。
【００７３】
ファイル更新部１０２ｂが各種ファイルを更新すると、出力実行部１０２ｃは、それらの情報に基づき、図２５のように切断指示書を作成する。既に切断済みの在庫を更に切断して出荷する場合であるので、ドラム番号は最初に付与されたドラム番号を踏襲し、１と記載される。このようなドラム番号の印字内容は、以下の条件に基づき確定される。
【００７４】
出力実行部１０２ｃは、対象在庫のドラム番号が最大桁数であるか否か、在庫数と引当数とが等しいか否か、受注本数は１本であるか否か、の各条件について判定する。在庫数と引当数とが等しい場合であって、受注本数が１本である場合、出荷に際し切断を伴わないのでドラム番号は印字されない。在庫数と引当数とが等しい場合であって、受注本数が１本ではない場合、出荷に際し切断を伴うが、端材が残らないのでドラム番号は印字されない。在庫数と引当数とが等しくない場合、端材が残るのでドラム番号が印字される。このとき、印字内容は、対象在庫のドラム番号が最大桁数である場合、新ドラムとして「新」の字を添えた新しいドラム番号が付与される。対象在庫のドラム番号が最大桁数でない場合、端材ドラムとして最初に付与されたドラム番号が踏襲される。
【００７５】
このような切断指示書にしたがい商品が出荷されると、ファイル更新部１０２ｂは、図２６のように在庫明細ファイルを更新する。
【００７６】
［４．具体例２］
図２７〜図３３を参照して、本実施形態にかかる在庫引当処理装置１００の機能の他の例について具体的に説明する。
【００７７】
具体例２において、図１７の在庫明細ファイルの在庫を所有している場合に、図２７に示す受注があったとする。在庫情報選出部１０２ａは、図２８の受注ファイルの受注番号１００１の情報に基づき、「＠引当残数」を２００ｍとし、「＠受注長さ」を１００ｍとして、対象商品の在庫の中から適正なものを引き当てる。
【００７８】
具体例２のケースでは、図１７の在庫明細ファイルにある在庫のうち、二段目の在庫が条件に当てはまる。つまり、最上段の在庫においては、引当可能数が１５０ｍであり、今回の受注の１本分を引き当てたときの引当可能数が５０ｍである。これは、残り１本分の１００ｍの引当には不足する分量である。このため、次の在庫明細である二段目の在庫が参照される。
【００７９】
二段目の在庫においては、引当可能数が２００ｍであり、今回の「＠受注長さ」である１００ｍを上回っている。そして、「＠引当残数」がゼロになるまで繰り返したときの「＠切断回数」は２回である。また、受注分の２本のうち、１００ｍを１本分、切断した後の引当可能数は１００ｍとなる。ここで、在庫情報選出部１０２ａは、「＠切断回数」がゼロではないため、１本（１つの在庫）で切断可能な在庫の再確認を行う。二段目の在庫においては、受注した２本分を切断した後の引当可能数が０ｍとなり、１本で切断可能な在庫である。また、「＠切断回数」２回が受注本数２以上の場合、二段目の在庫１本を切断した方が、効率が良いと判断する。よって、図１７の在庫明細ファイルにある在庫のうち、二段目の在庫が引当在庫として確定される。
【００８０】
在庫情報選出部１０２ａが引当在庫を確定すると、ファイル更新部１０２ｂは、図２９のように在庫マスタを更新し、図３０のように在庫明細ファイルを更新し、さらに、図３１のように在庫引当ファイルを更新する。
【００８１】
ファイル更新部１０２ｂが各種ファイルを更新すると、出力実行部１０２ｃは、それらの情報に基づき、図３２のように切断指示書を作成する。出荷後には端材が残らないので、ドラム番号は印字されない。
【００８２】
このような切断指示書にしたがい商品が出荷されると、ファイル更新部１０２ｂは、図３３のように在庫明細ファイルを更新する。
【００８３】
［５．処理］
上述した構成の在庫引当処理装置１００で実行される在庫引当処理の一例について、図３４を参照して説明する。図３４は、実施形態にかかる在庫引当処理装置１００で実行される在庫引当処理の手順の一例を示すフロー図である。
【００８４】
図３４に示すように、在庫引当処理装置１００は、受注入力画面にて、ユーザによる受注の入力を受け付ける（ステップＳ１０）。
【００８５】
受注入力画面にて、ユーザにより受注内容が入力されると、在庫情報選出部１０２ａは、在庫明細ファイルの中から引当対象の在庫情報を選出する（ステップＳ２０）。
【００８６】
引当対象の在庫情報が選出されると、ファイル更新部１０２ｂは、在庫明細ファイルの中の対象となる在庫明細の引当数を更新する（ステップＳ３０）。
【００８７】
在庫明細ファイルが更新されると、出力実行部１０２ｃは、更新された情報に基づき、切断指示書を出力する（ステップＳ４０）。
【００８８】
以上により、在庫引当処理装置１００で実行される在庫引当処理が終了する。
【００８９】
［６．実施形態の効果］
従来、電線等の切売品の在庫は、長さではなく品物の個数やロットごとに管理されていた。このため、受注通りの出荷が可能であるか否かは、人手により在庫状況を直接確認し、判断する必要があった。
【００９０】
実施形態の在庫引当処理装置１００によれば、切売品の在庫が長さによって管理され、受注通りの出荷の可否を自動で判断する。これにより、人手をかけて在庫状況を確認する手間が省ける。
【００９１】
実施形態の在庫引当処理装置１００によれば、在庫情報選出部１０２ａが適正な在庫を選出し、これに基づき、出力実行部１０２ｃが切断指示書を出力する。これにより、人手をかけて多数の在庫の中から適正な引当在庫を選出する手間が省ける。また、引当在庫として、より適正な在庫を見落とすミスが抑制される。こにより、端材の発生を抑え、不良在庫を削減することができる。
【００９２】
実施形態の在庫引当処理装置１００によれば、出力実行部１０２ｃが、在庫の状態に応じてドラム番号の印字を様々に変更する。これにより、作業者が明快な指示内容に従って出荷処理を行うことができる。
【００９３】
［６．他の実施形態］
本発明は、上述した実施形態以外にも、特許請求の範囲に記載した技術的思想の範囲内において種々の異なる実施形態にて実施されてよい。
【００９４】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００９５】
また、本明細書中や図面中で示した処理手順、制御手順、具体的名称、各処理の登録データや検索条件等のパラメータを含む情報、画面例、データベース構成については、特記する場合を除いて任意に変更することができる。
【００９６】
また、在庫引当処理装置１００に関して、図示の各構成要素は機能概念的なものであり、必ずしも物理的に図示の如く構成されていることを要しない。
【００９７】
例えば、在庫引当処理装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて在庫引当処理装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部１０２を構成する。
【００９８】
また、このコンピュータプログラムは、在庫引当処理装置１００に対して任意のネットワークを介して接続されたアプリケーションプログラムサーバに記憶されていてもよく、必要に応じてその全部または一部をダウンロードすることも可能である。
【００９９】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【０１００】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【０１０１】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１０２】
また、在庫引当処理装置１００は、既知のパーソナルコンピュータまたはワークステーション等の情報処理装置として構成してもよく、また、任意の周辺装置が接続された当該情報処理装置として構成してもよい。また、在庫引当処理装置１００は、当該情報処理装置に本実施形態で説明した処理を実現させるソフトウェア（プログラムまたはデータ等を含む）を実装することにより実現してもよい。
【０１０３】
さらに、装置の分散・統合の具体的形態は図示するものに限られず、その全部または一部を、各種の付加等に応じてまたは機能付加に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１０４】
本発明は、切売品を販売する業界において有用である。
【符号の説明】
【０１０５】
１００  在庫引当処理装置
１０２  制御部
１０２ａ  在庫情報選出部
１０２ｂ  ファイル更新部
１０２ｃ  出力実行部
１０４  通信インターフェース部
１０６  記憶部
１０６ａ  ファイル情報
１０６ｂ  マスタ情報
１０６ｃ  画面データ
１０８  入出力インターフェース部
１１２  入力装置
１１４  出力装置
２００  サーバ
３００  ネットワーク
【図１】
2020001910.tif 000003
【図２】
2020001910.tif 000004
【図３】
2020001910.tif 000005
【図４】
2020001910.tif 000006
【図５】
2020001910.tif 000007
【図６】
2020001910.tif 000008
【図７】
2020001910.tif 000009
【図８】
2020001910.tif 000010
【図９】
2020001910.tif 000011
【図１０】
2020001910.tif 000012
【図１１】
2020001910.tif 000013
【図１２】
2020001910.tif 000014
【図１３】
2020001910.tif 000015
【図１４】
2020001910.tif 000016
【図１５】
2020001910.tif 000017
【図１６】
2020001910.tif 000018
【図１７】
2020001910.tif 000019
【図１８】
2020001910.tif 000020
【図１９】
2020001910.tif 000021
【図２０】
2020001910.tif 000022
【図２１】
2020001910.tif 000023
【図２２】
2020001910.tif 000024
【図２３】
2020001910.tif 000025
【図２４】
2020001910.tif 000026
【図２５】
2020001910.tif 000027
【図２６】
2020001910.tif 000028
【図２７】
2020001910.tif 000029
【図２８】
2020001910.tif 000030
【図２９】
2020001910.tif 000031
【図３０】
2020001910.tif 000032
【図３１】
2020001910.tif 000033
【図３２】
2020001910.tif 000034
【図３３】
2020001910.tif 000035
【図３４】
2020001910.tif 000036